(57)【要約】【課題】ファクシミリ送信に際して、送信先情報を効率よく入力するとともに、操作の誤りを容易に検出する。【解決手段】原稿画像を読み取る読取り部１１７と、送信先情報を入力する操作部１１５と、送信先情報のみを記憶する所定の送信先情報記憶部１２１と、操作部１１６により入力された数字または文字あるいは数字列または文字列に先頭数字または文字あるいは前方数字列または文字列が一致する送信先情報を送信先情報記憶部から抽出する検索手段（ＲＯＭ１１２内プログラム）と、検索手段により抽出した送信先情報のリストを表示部上に表示する表示部１１６と、この表示部上に表示した表示リストの中から送信先を選択する送信先選択手段１２１と、この送信先選択手段１２１により選択された送信先に読取り部１１７により読み取った原稿画像を送信するモデム１２９とを備える。【選択図】      図１
2004221774.tif 000002
【特許請求の範囲】
【請求項１】
原稿画像を読み取る読取り手段と、
送信先情報を入力する操作手段と、
送信先情報のみを記憶する所定の送信先情報記憶手段と、
前記操作手段により入力された数字または文字あるいは数字列または文字列に先頭数字または文字あるいは前方数字列または文字列が一致する送信先情報を前記送信先情報記憶手段から抽出する検索手段と、
前記検索手段により抽出した送信先情報のリストを表示手段上に表示する表示手段と、
前記表示手段上に表示した表示リストの中から送信先を選択する送信先選択手段と、
前記送信先選択手段により選択された送信先に前記読取り手段により読み取った原稿画像を送信する送信手段と、
を備えたことを特徴とするファクシミリ装置。
【請求項２】
前記送信先情報は、過去に送信が成功した送信先情報であることを特徴とする請求項１に記載のファクシミリ装置。
【請求項３】
前記送信先情報が、電話番号または電子メールアドレスであることを特徴とする請求項１または２に記載のファクシミリ装置。
【請求項４】
前記送信先情報記憶手段に記憶される送信先情報が、さらに短縮登録されている送信先情報のみであることを特徴とする請求項１または２に記載のファクシミリ装置。
【請求項５】
前記送信先情報記憶手段に記憶される送信先情報が、さらに正常に受信したファックスの相手先情報であることを特徴とする請求項１から４の何れかに記載のファクシミリ装置。
【請求項６】
前記送信先情報記憶手段に記憶される送信先情報には、前記送信先電話番号または前記送信先電子メールアドレスに関連付けされた送信先名称が付属していることを特徴とする請求項１から５の何れかに記載のファクシミリ装置。
【請求項７】
前記送信先情報記憶手段に記憶される送信先情報を削除または編集する手段を備えたことを特徴とする請求項１から６の何れかに記載のファクシミリ装置。
【発明の詳細な説明】
【０００１】
【発明の属する技術分野】
本発明は、ファクシミリ送信に際して、送信先情報を効率よく入力するとともに、操作の誤りを容易に検出することができるファクシミリ装置に関する。
【０００２】
【従来の技術】
従来、ファクシミリ送信に際して、送信先情報の操作キーからの入力に際して、最初の１文字あるいは数文字と一致する送信先の候補を操作パネルに表示することで、ユーザが簡単に送信先を特定することができるシステムが知られている。
【０００３】
たとえば、特許文献１の技術では、ドメイン名が入力された場合に、先頭文字の入力で、該当する候補をディスプレイに表示することができる。
【０００４】
【特許文献１】
特開平１１−２２０６００号
【０００５】
【発明が解決しようとする課題】
ところが、上記のようなファクシミリ装置では、送信先情報の履歴（過去に入力操作した送信先電話番号や送信先）を所定数、予め送信先情報記憶部に記憶させておくが、誤った送信先も履歴として残されてしまう。
【０００６】
このため、たとえば、ある送信先情報（電話番号，電子メールアドレス）を入力した場合に、誤って入力した実在しない送信先情報も、ディスプレイに表示されてしまう。通常、誤って入力した送信先情報は、本来意図している送信先情報と紛らわしいため（たとえば、一字違い）、ユーザにとっては極めて煩わしく、再度の誤った送信が行われる場合が多くなる。
【０００７】
本発明の目的は、上記した問題を解決するために提案されたものであって、ファクシミリ送信をするに際して、送信先情報を効率よく入力するとともに、操作の誤りを容易に検出することができるファクシミリ装置を提供することにある。
【０００８】
【課題を解決するための手段】
本発明のファクシミリ装置は、原稿画像を読み取る読取り手段と、送信先情報を入力する操作手段と、送信先情報のみを記憶する所定の送信先情報記憶手段と、前記操作手段により入力された数字または文字あるいは数字列または文字列に先頭数字または文字あるいは前方数字列または文字列が一致する送信先情報を前記送信先情報記憶手段から抽出する検索手段と、前記検索手段により抽出した送信先情報のリストを表示手段上に表示する表示手段と、前記表示手段上に表示した表示リストの中から送信先を選択する送信先選択手段と、前記送信先選択手段により選択された送信先に前記読取り手段により読み取った原稿画像を送信する送信手段とを備えたことを特徴とする。
【０００９】
本発明のファクシミリ装置では、送信番号をすべて入力する必要はなく、先頭から１以上の番号を入力し、送信番号候補を選択することで、容易にファクシミリ送信を行うことができる。
【００１０】
本発明のファクシミリ装置では、前記送信先情報を、過去に送信が成功した送信先情報とすることで、送信が成功した番号のみが候補として表示されるので、入力を間違った電話番号等が排除され、より選択し易くなる。
【００１１】
本発明のファクシミリ装置では、送信先情報は、電話番号または電子メール（Ｅメール）アドレスである。ファクシミリ装置がインターネットファクシミリ装置の場合には、送信先情報はＥメールであるが、この場合にはインターネットファクシミリ装置は、ネットワークに接続する機能を備えている必要がある。
【００１２】
本発明のファクシミリ装置では、前記送信先情報記憶手段に記憶される送信先情報を、さらに短縮登録されている送信先情報のみとすることができる。これにより、ユーザが登録した番号のみが候補として表示されるので、候補数が少なくかつ的確になり、より選択し易くなる。
【００１３】
本発明のファクシミリ装置では、前記送信先情報記憶手段に記憶される送信先情報が、さらに正常に受信したファックスの相手先情報とすることができる。これにより、受信元の電話番号も候補に表示されるので、ファクシミリを返信する場合にも、送信番号候補が表示でき、選択することによって、ファクシミリの送信を行うことができる。
【００１４】
本発明のファクシミリ装置では、前記送信先情報記憶手段に記憶される送信先情報に、前記送信先電話番号または前記送信先電子メールアドレスに関連付けされた送信先名称を付属させることができる。これにより、送信番号候補が表示されたときに、その送信先名称等も表示されるので、より的確に、送信番号を選択することができる。
【００１５】
本発明のファクシミリ装置では、前記送信先情報記憶手段に記憶される送信先情報を削除または編集する手段を備えることができ、送信しなくなった番号や、消滅した番号を削除できるので、無駄な候補表示を抑制することができる。
【００１６】
【発明の実施の形態】
以下、本発明の好適な実施形態を、添付図を用いて説明する。なお、本発明の本実施形態では、技術的に好ましい態様を示すが、本発明の技術的範囲は当該実施形態に限定ものではない。
【００１７】
図１は本発明のファクシミリ装置１１のブロック構成図である。ファクシミリ装置１１は、ＣＰＵ１１１と、ＲＯＭ１１２、ＲＡＭ１１３と、画像記憶部（本発明における画像記憶手段）１１４と、操作部（本発明における操作手段）１１５と、表示部（本発明における表示手段）１１６と、画像読取り部（本発明における画像読取り手段）１１７と、画像出力部（本発明における画像出力手段）１１８と、符号化・複合化部１１９と、モデム（本発明における送信手段としても機能する）１２０と、送信先情報記憶部（本発明における送信先情報記憶手段）１２１とからなる。
【００１８】
ＣＰＵ１１１は、ＲＯＭ１１２内のプログラムに基づいて、ＲＡＭ１１３をワークメモリと使用しつつ、ファクリミリ装置内の各部を制御し、ファクリミリ装置１１の基本処理を実行するとともに、後述する入力支援処理を実施する。なお、ＲＯＭ１１２内の検索プログラムが、本発明の検索手段としての機能を奏する。
【００１９】
ＲＯＭ１１２には、ファクシミリ装置１１の基本プログラムが格納されているとともに、後述する入力支援処理のプログラムが格納されている。
【００２０】
ＲＡＭ１１３は、上述のように、ＣＰＵ１１１のワークメモリとして使用されるとともに、短縮情報（短縮ダイヤル，ワンタッチダイヤル、短縮アドレス，ワンタッチダイヤル）の送信先情報を記憶している。これら短縮情報は、操作部１１５のキー操作により入力され、ＣＰＵの制御により、登録・編集・削除が行われる。
【００２１】
画像記憶部１１４は、ＲＡＭ１１３、ハードディスクまたは着脱可能なメモリカード等で構成され、受信画像や送信画像が保存される。
【００２２】
操作部１１５は、テンキーや送信キー等の操作キー、各種ファンクションキー、ワンタッチ操作キー、短縮操作キーとを備え、操作キーからは、送信操作等の各種命令が入力され、ＲＡＭ１１３に格納されている短縮情報の登録・編集・削除の操作が行われる。また、操作部１１５には、後述するように、送信先情報記憶部１２１に記憶され、表示部１１６に表示された送信先情報リスト（電話番号リスト，Ｅメールアドレスリスト）を選択するための矢印キーと選択キーとを備え、送信先電話番号，送信先Ｅメールアドレスの選択操作、および選択した電話番号，Ｅメールアドレスに付属する情報の編集操作が行われる。
【００２３】
表示部１１６は、例えば液晶ディスプレイ等が利用されており、操作部１１５から入力した各種操作内容やファクシミリ装置から表示される各種情報等が表示される。また、後述するように、操作部１１５から送信先情報（電話番号，Ｅメールアドレス）が入力されたら、送信先情報リスト（電話番号リスト，Ｅメールアドレスリスト）を表示する。
【００２４】
画像読取り部１１７は、例えば、ＣＣＤを利用したラインイメージセンサー等が用いられており、通常ＡＤＦが備えられている。ＡＤＦには複数の送信原稿画像がセットされ、ＡＤＦはセットされた原稿画像を１枚ずつ画像読取り部１１７の原稿画像読取位置に搬送し、画像読取り部１１７は、ＡＤＦから送られてきた原稿画像を操作し、原稿画像の画像を所定の解像度で読み取る。
【００２５】
画像出力部１１８は、例えば、サーマル記録装置、電子写真式記録装置、あるいはインク噴射型記録装置等が用いられており、画像出力部１１８には、１種類以上の所定の記録紙サイズのカット記録紙をセット可能な記録紙カセットを備えている。画像出力部１１８は、記録紙カセットから供給される記録紙に、受信画像、画像読取り部１１７に読み取られた画像、通信記録等を記録出力する。
【００２６】
符号化・複合化部１１９は、画像記憶部への画像情報蓄積の効率化、および画像情報の伝送時間の短縮化、効率化のために、送信時には画像情報を所定の符号化処理で圧縮（符号化）し、受信時には符号化された画像情報を伸張（複合化）する。
【００２７】
モデム１２０には、例えば公衆回線、専用回線等が接続されており、ＣＰＵの制御下で、送信時には送信信号を接続回線の伝送方式に適した形に変調して、送信し、受信時には受信信号を変調する。
【００２８】
送信先情報記憶部１２１は、ＲＡＭ、ハードディスクまたは着脱可能なメモリカード等で構成され、後述するように、送信時に入力された送信先電話番号，送信先Ｅメールアドレスや、受信時に受信した受信元送信番号等が、例えば、単なる電話番号やＥメールアドレスの配列、Ｂ木、ハッシュマップ等の構造を持って、格納される。
【００２９】
図２は本発明の実施形態の動作を表すフローチャートである。ユーザが操作部１１５から送信先情報の先頭の１文字（たとえば、数字「０」やアルファベット「ａ」）を入力したとすると、ユーザが他に特に何も操作しなくても自動的に、送信先情報記憶部１２１に記憶されている送信先情報から、先頭の１文字が同じ送信先情報を検索し、リストを作成する。
【００３０】
次に表示部１１６に検索にマッチした送信先情報候補リスト（電話番号リスト，Ｅメールアドレスリスト）を表示する。図３は検索にマッチした送信先情報候補リストが表示されている操作部１１５および表示部１１６の例である。次に、ユーザは表示されているリストを操作部１１５にある矢印キー（上下）を使用してスクロールし、送信先情報（送信先電話番号，送信先Ｅメールアドレス）が見つかった場合には、操作部１１５の選択ボタンを押し、送信先情報（送信先電話番号，送信先Ｅメールアドレス）を選択する。あるいは、リスト数が多いため選択が困難な場合には、ユーザが送信先情報（送信先電話番号，送信先Ｅメールアドレス）の次の文字を入力したら（たとえば、「３」等の数字や「ｂ」等のアルファベット）、先頭文字が入力された場合の動作と同様に、ユーザが特に何も操作することなく自動的に、送信先情報記憶部１２１に記憶されている送信先情報（送信先電話番号，送信先Ｅメールアドレス）から、先頭の２文字が同じ送信先情報（送信先電話番号，送信先Ｅメールアドレス）を検索し、送信先情報候補リスト（電話番号リスト，Ｅメールアドレスリスト）を作成する。次に表示部１１６に検索にマッチした送信先情報候補リスト（電話番号リスト，Ｅメールアドレスリスト）を表示し、同様にユーザは表示されている送信先情報候補リスト（電話番号リスト，Ｅメールアドレスリスト）を操作部１１５にある矢印キー（上下）を使用してスクロールし、送信先情報候補リスト（電話番号リスト，Ｅメールアドレスリスト）が見つかった場合には、操作部１１５の選択ボタンを押す。３文字目以降が入力された場合も、同様な操作が行われる。
【００３１】
該当する送信先情報が送信先情報候補リスト（電話番号リスト，Ｅメールアドレスリスト）に表示されない場合は、ユーザは送信先電話番号を選択せずに、送信先情報（送信先電話番号，送信先Ｅメールアドレス）のすべてを入力してもいいが、似ている送信先情報（電話番号，Ｅメールアドレス）を送信先情報候補リスト（電話番号リスト，Ｅメールアドレスリスト）から選択し、操作部１１５にある矢印キー（左右）とクリアボタンを使用して、送信先情報（電話番号，Ｅメールアドレス）を修正してもよい。
【００３２】
ユーザは送信先情報候補リストが正しく設定されたら、送信ボタンを押し、原稿画像を送信する。送信された送信先情報（電話番号，Ｅメールアドレス）が、送信先情報記憶部１２１に登録されていない場合には、送信先情報記憶部１２１に登録する。
【００３３】
図４に送信先情報記憶部１２１内のデータ構造の例を示す。
【００３４】
図５は、送信先情報を途中まで入力したときに、送信が成功した送信先宛先のみを表示部１１６に表示する実施形態を示すフローチャートである。図５におけるＳ２０１〜Ｓ２０６は、図２におけるＳ１０１〜Ｓ１０６と同様であり、Ｓ２０７において送信が成功しなかったときは処理を終了し（「ｅｎｄ」）、送信が成功したときは送信先情報が既に送信先情報記憶部１２１に記憶されているか否かをチェックし、記憶されていないときは当該送信先情報を記憶し、記憶されているときは処理を終了する（「ｅｎｄ」）。
【００３５】
図６および図７は、既に短縮ダイヤルとして送信先情報が設定されている場合の動作を表すフローチャートである。
【００３６】
図６は短縮情報（短縮ダイヤル，ワンタッチダイヤル、短縮アドレス，ワンタッチダイヤル）を登録するときのフローチャートである。ＣＰＵ（ＲＯＭに書き込まれた短縮情報取得プログラム）は短縮情報を取得すると（Ｓ３０１）、送信先情報記憶部１２１に当該短縮情報を記憶する（Ｓ３０２）。図７は、送信操作時のフローチャートである。短縮情報が登録されているときは、送信が終了しても送信先情報記憶部１２１に送信先情報を登録しない。図７におけるＳ４０１〜Ｓ４０６における処理は、図２のＳ１０１〜Ｓ１０６の処理と同じである。
【００３７】
図８は、送信先情報記憶部１２１に記憶される送信先情報が、さらに正常に受信したファックスの相手先情報である場合の動作を表すフローチャートである。
【００３８】
図８では、画像データと相手先情報（電話番号，Ｅメールアドレス）を受信し（Ｓ５０１）、この相手先情報を送信先情報として送信先情報記憶部１２１に記憶し（Ｓ５０２）、画像データを画像出力部１１８で出力する（Ｓ５０３）。送信時のフローチャートは、図５のフローチャートと同じである。
【００３９】
図９は、送信先電話番号または前記送信先電子メールアドレスに関連付けされた送信先名称を、送信先情報に付属させて、送信先情報記憶部１２１に記憶する場合において、送信先情報記憶部１２１に記憶されているデータのデータ構造の例を示す図であり、図１０は、送信先情報記憶部１２１の編集操作を表したフローチャートである。
【００４０】
ユーザが、操作部１１５で編集キーを押すと、表示部１１６に送信先情報記憶部１２１のデータの一覧が表示される（Ｓ６０１）。操作部１１５の矢印キーで編集する送信先情報を１つ選び、操作部１１５のテンキー等を使用して属性（名称等）を入力し（Ｓ６０２）、入力処理が終わったとき（Ｓ６０３）に処理を終了する（「ｅｎｄ」）。図１１に、操作部１１５および表示部１１６の例を示す。
【００４１】
図１２（Ａ）は、前記送信先情報記憶部に記憶される送信先情報を削除または編集する手段（ＲＯＭ１１２の削除プログラム）による削除操作を表したフローチャートである。ユーザが、操作部１１５で編集キーを押すと、表示部１１６に送信先情報記憶部１２１のデータの一覧の一覧が表示される（Ｓ７０１）。操作部１１５の矢印キー（図３参照）で削除する送信先情報（送信先電話番号，送信先Ｅメールアドレス）を選択し、削除キーを押し、データを削除し（Ｓ７０２）、削除処理を終えたときは（Ｓ７０３）処理を終了する（「ｅｎｄ」）。
【００４２】
本発明では、送信先情報がＥメールである場合において、ユーザが誤りに気付かないで送信した場合、ユーザは宛先なしのエラー情報通知を受ける。本発明では、Ｅメールによるファクシミリ送信を行うと、送信先情報が送信先情報記憶部１２１に記憶されるので、図１２（Ｂ）に示すように、送信したＥメールについてエラー通知を受けたときは（Ｓ８０１）、アドレスを送信先情報記憶部１２１から削除する（Ｓ８０２）。
【００４３】
なお、一度しかファクシミリ送信をしないことに確信が持てるときは、情報先記憶部１２１への記憶をしないようにできる。この操作は、たとえば所定キーに機能不適用の機能を割り当てることができる。
【００４４】
【発明の効果】
本発明は、以下の効果を奏する。
【００４５】
（１）送信番号をすべて入力する必要はなく、先頭から１以上の番号を入力し、送信番号候補を選択することで、容易にファクシミリ送信を行うことができる。
【００４６】
（２）本発明のファクシミリ装置では、送信先情報を、過去に送信が成功した送信先情報とすることで、送信が成功した番号のみが候補として表示されるので、入力を間違った電話番号等が排除され、より選択し易くなる。
【００４７】
（３）本発明のファクシミリ装置では、前記送信先情報記憶部に記憶される送信先情報を、さらに短縮登録されている送信先情報のみとすることができるので、ユーザが登録した番号のみが候補として表示され、したがって候補数が少なくかつ的確になり、より選択し易くなる。
【００４８】
（４）本発明のファクシミリ装置では、前記送信先情報記憶部に記憶される送信先情報が、さらに正常に受信したファックスの相手先情報とすることができ、これにより、受信元の電話番号も候補に表示されるので、ファクシミリを返信する場合にも、送信番号候補が表示でき、選択することによって、ファクシミリの送信を行うことができる。
【００４９】
（５）本発明のファクシミリ装置では、前記送信先情報記憶部に記憶される送信先情報に、前記送信先電話番号または前記送信先電子メールアドレスに関連付けされた送信先名称を付属させることができるので、送信番号候補が表示されたときに、その送信先名称等も表示され、より的確に、送信番号を選択することができる。
【００５０】
（６）本発明のファクシミリ装置では、前記送信先情報記憶部に記憶される送信先情報を削除または編集する手段を備えることができるので、送信しなくなった番号や、消滅した番号を削除できるので、無駄な候補表示を抑制することができる。
【図面の簡単な説明】
【図１】本発明のファクシミリ装置のブロック構成図である。
【図２】本発明の実施形態の動作を表すフローチャートである。
【図３】検索にマッチした送信先情報候補リストが表示されている操作部および表示部の例を示す図である。
【図４】送信先情報記憶部１２１内のデータ構造の例を示す図である。
【図５】送信先情報を途中まで入力したときに、送信が成功した送信先宛先のみを表示部に表示する実施形態を示すフローチャートである。
【図６】短縮情報を登録するときのフローチャートである。
【図７】送信先情報が設定されている場合における送信操作時のフローチャートである。
【図８】送信先情報記憶部に記憶される送信先情報が、さらに正常に受信したファックスの相手先情報である場合の動作を表すフローチャートである。
【図９】送信先電話番号または前記送信先電子メールアドレスに関連付けされた送信先名称を送信先情報に付属させて、送信先情報記憶部に記憶する場合における、送信先情報記憶部に記憶されているデータのデータ構造の例を示す図である。
【図１０】送信先電話番号または前記送信先電子メールアドレスに関連付けされた送信先名称を送信先情報に付属させて、送信先情報記憶部に記憶する場合の、送信先情報記憶部の編集操作を表したフローチャートである。
【図１１】送信先電話番号または前記送信先電子メールアドレスに関連付けされた送信先名称を送信先情報に付属させて、送信先情報記憶部に記憶する場合における操作部および表示部の例を示す図である。
【図１２】（Ａ）は送信先情報記憶部に記憶される送信先情報を削除または編集する手段による削除操作を表したフローチャート、（Ｂ）は送信先情報がＥメールである場合に誤ったアドレスのＥメールの送信に対して返されるエラー通知があったときの処理を表すフローチャートである。
【符号の説明】
１１  ファクシミリ装置
１１１  ＣＰＵ
１１２  ＲＯＭ
１１３  ＲＡＭ
１１４  画像記憶部
１１５  操作部
１１６  表示部
１１７  画像読取り部
１１８  画像出力部
１１９  符号化・復号化部
１２０  モデム
１２１  送信先情報記憶部
【図１】
2004221774.tif 000003
【図２】
2004221774.tif 000004
【図３】
2004221774.tif 000005
【図４】
2004221774.tif 000006
【図５】
2004221774.tif 000007
【図６】
2004221774.tif 000008
【図７】
2004221774.tif 000009
【図８】
2004221774.tif 000010
【図９】
2004221774.tif 000011
【図１０】
2004221774.tif 000012
【図１１】
2004221774.tif 000013
【図１２】
2004221774.tif 000014